(57)【要約】【課題】立設作業が容易な支柱ユニット並びに前記支柱ユニットを有効に利用し、更に獣害防止機能を充実させた獣害防止専用の柵を提供すること。【解決手段】熱可塑性樹脂からなる内層１０１と繊維強化硬化性樹脂からなる中間層１０２と熱可塑性樹脂からなる被覆層１０３とが相互に密着接合した３層構造を備える内部中空の支柱１と、該支柱１の下端部所定長部分を収容可能な中空部を備える下端部尖塔状の杭２と、を備える支柱ユニットＵ及びこの支柱ユニットＵを用いた獣害防止柵Ｆを提供する。【選択図】　図８
2004116117.tif 000002
【特許請求の範囲】
【請求項１】
熱可塑性樹脂からなる内層と繊維強化硬化性樹脂からなる中間層と熱可塑性樹脂からなる被覆層とが相互に密着接合した３層構造を備える内部中空の支柱と、該支柱の下端部所定長部分を収容可能な中空部を備える下端部尖塔状の杭と、を備える支柱ユニット。
【請求項２】
前記支柱と前記杭との隙間に楔を挿着することによって、前記支柱を前記杭に固定させたことを特徴とする請求項１記載の支柱ユニット。
【請求項３】
前記杭の上方外周部に装着される羽根状部材を備えることを特徴とする請求項１又は２記載の支柱ユニット。
【請求項４】
前記羽根状部材は、前記杭の上端部が挿入される円環状又は角環状をなす基部と、該基部の外壁面から外側に突設された複数の板状部と、からなることを特徴とする請求項３記載の支柱ユニット。
【請求項５】
前記板状部は、上方視、直交する四方向に突設されたことを特徴とする請求項４記載の支柱ユニット。
【請求項６】
熱可塑性樹脂からなる内層と繊維強化硬化性樹脂からなる中間層と熱可塑性樹脂からなる被覆層とが相互に密着接合した３層構造を備える内部中空の支柱と、該支柱の下端部所定長部分を収容可能な中空部を備える下端部尖塔状の杭と、を備える支柱ユニットを間隔置いて立設し、該支柱ユニット間にネットを張り渡した構成を少なくとも備える獣害防止柵。
【請求項７】
立設された支柱ユニット間に張り渡された前記ネットの下端部をアンカーによって地面側に引き寄せて固定させることを特徴とする請求項６記載の獣害防止柵。
【請求項８】
前記アンカーは、上端部にフック部が形成されるとともに、下端部は尖塔状に形成されてなり、該フック部を前記ネット部の下端部に引っ掛けて地中にさし込まれる構成であることを特徴とする請求項７記載の獣害防止柵。
【発明の詳細な説明】
【０００１】
【発明の属する技術分野】
本発明は、組み立てが容易で倒伏のおそれがなく、かつ軽量で、腐食の心配がない支柱ユニット及び該支柱ユニットを用いた獣害防止柵に関する。
【０００２】
【従来の技術】
種々の支持部材や支柱等を設置する場合、現在は、鋼管製パイプが広く使用されており、この鋼管製パイプを地面に打ち込んで立設する作業が行われている。しかし、前記鋼管製パイプは、重量が嵩むために、現場への資材運搬や立設作業に手間がかかり、かつ腐食も避けられない。
【０００３】
このため、本願出願人は、従来の鋼管製パイプに替わる三層構造をなす内部中空状の軽量合成樹脂製パイプを提案した（例えば、特許文献１参照）。この合成樹脂製パイプは、鋼管製パイプに比べて強度的に遜色がなく、また腐食の心配がなく、しかも軽量であるため、建設又は土木工事用のコンクリート型枠支持管等に採用され始めており、今後各分野での利用が期待される。
【０００４】
【特許文献１】特公平５−６１０９１号報（特許請求の範囲、第１図）
【０００５】
ここで、近年、植林された樹木や野山近傍で栽培される野菜、果物等の作物が、猪、猿、カモシカ等の動物によって食い荒らされるという被害が各地で発生して問題になっている。この問題に対処するために、現在は、植林地や田畑に動物を浸入させないように柵を設けるしかないのが実情である。
【０００６】
このため、植林地や田畑を取り囲むように、支柱を地面に突き刺したり、ハンマーで打ち込んだり等して所定間隔で配列し、これにワイヤやネット等を張り巡らす等して獣害防止用の柵（フェンス）を形成し、植林地内や田畑内への動物の浸入防止を図っている。
【０００７】
この獣害防止のための柵を形成するために使用される支柱においても、依然として上記同様に、重量が嵩む鋼管製パイプが広く採用されており、山野において、手間の係る鋼管製パイプの立設作業が今も行われている。
【０００８】
【発明が解決しようとする課題】
まず、本発明が解決しようとする第一の技術的課題は、支持部材や支柱の立設作業を軽減化することである。この課題を解決するために、本発明では、軽量で、かつ組み立てが簡単である支柱ユニットを提供することを第一の目的とする。
【０００９】
次に、本発明が解決しようとする第二の技術的課題は、現在被害が増加している植林樹木等の獣害対策に役立つように、山野での獣害防止柵の形成する作業や資材の運搬作業を軽減するとともに、獣害防止機能に優れた獣害防止用柵を提供することである。この課題を解決するため、本発明では、前記支柱ユニットを有効に利用し、更に獣害防止機能を充実させた獣害防止専用の柵を提供することを第二の目的とする。
【００１０】
【課題を解決するための手段】
上記課題を解決するために、まず、本発明では、以下の「支柱ユニット」を提供する。
【００１１】
本発明に係る「支柱ユニット」は、熱可塑性樹脂からなる内層と繊維強化熱硬化性樹脂からなる中間層と熱可塑性樹脂からなる被覆層とが相互に密着接合した３層構造を備える内部中空の「支柱」と、該支柱の下端部所定長部分を収容可能な中空部を備える下端部尖塔状の「杭」と、を備える。
【００１２】
まず、前記三層構造を備える合成樹脂製の「支柱」は、従来慣用されてきた鋼管製パイプに比べて、強度的に遜色がないため支持体としての機能を充分に果たし、また、軽量であるため運搬作業や支柱立設作業が容易である。また、腐食しないので耐久性に優れる。更には、可撓性を備えるので、外力が加えられても、力を吸収し、折損してしまうことがないという特性を備える。
【００１３】
次に、前記構成の「杭」は、地面にさし込まれたり、場合によってはハンマー等で打ち込まれたりする部材であって、この杭の内部に前記支柱の下端部所定長部分を収容する。これにより支柱を支え、かつ支柱を保護する役割を発揮する。なお、前記支柱と前記杭との隙間に楔（スペーサ）を挿着することによって、前記支柱を前記杭に確実に固定できる。
【００１４】
本発明に係る支柱ユニットは、一般に３ｍ程度の長さに形成される支柱それ自体を直接地面にさし込んだり、打ち込んだりする難作業が不要となるという利点がある。最初に、支柱よりも長さが短い杭（例えば、０．６５ｍ）を地面にさし込む等してから、この杭の中に支柱（の下端部）を挿入すればよい。これにより、支柱の立設作業は容易になる。
【００１５】
また、前記杭には、前記杭の上方外周部に装着される「羽根状部材」を設けることができる。この羽根状部材は、地面にさし込み等される前記杭の上方外周部に装着される部材であり、外側に突設された羽根状の板状部を備えることを特徴とする。具体的には、前記杭の上端部が挿入される円環状又は角環状（角数は限定されない。）をなす基部と、該基部の外壁面から外側に突設された複数の板状部と、を備える。例えば、前記板状部は、上方視、直交する四方向に突設するように形成することができる。
【００１６】
羽根状部材を装着することが以下の点で望ましい。即ち、この構成の羽根状部材は、杭に装着された状態で地面にさし込まれると、外側に突設する前記板状部（羽根部位）が周辺の地中に手を伸ばす如き状態で定着するので、杭のぐらつきや回転を有効に防止する役割を果たし、ひいては該杭に挿入された支柱を垂直状態に維持する役割を果たす。
【００１７】
次に、本願では、以下の「獣害防止柵」を提供する。本発明に係る「獣害防止柵」は、上記同様の支柱ユニットを用い、この支柱ユニットを間隔置いて立設し、該支柱ユニット間にネットを張り渡した構成を少なくとも備えるものである。
【００１８】
この獣害防止柵は、組み立てが簡易で、かつ軽量な上記支柱ユニットを用いていることから、支柱立設作業が容易であり、地理的条件の厳しい山野への資材運搬作業及び山野での柵形成作業を軽減できるという利点がある。
【００１９】
また、山野における厳しい自然環境下でも、腐食による支柱折損等の心配が全くない。また、支柱ユニットの上記構成により、支柱が傾いたり、倒伏したりすることがないため、柵による動物侵入防止形態を長期にわたって確実に発揮し、植林樹木等の獣害防止を継続的に実施できる。また、合成樹脂製の支柱は、可撓性を備えるので、動物がネットに突進等してきた場合でも、その力を吸収できるので、柵形態維持機能に優れる。
【００２０】
更に、立設された支柱ユニット間に張り渡されるネットの下端部をアンカーによって地面側に引き寄せるようにして固定すれば、ネットを張った状態に維持させることができるので好適であり、また、ネット下部から動物が侵入することを有効に防止することができる。
【００２１】
なお、前記アンカーは、例えば、上端部にフック部が形成されるとともに、下端部は尖塔状に形成されてなり、該フック部を前記ネット部の下端部に引っ掛けて地中に打ち込まれる構成等を好適に採用できる。また、尖塔状をなす下端部を備えるアンカーは、地面にさし込み易く、また、フック部にネットを簡単に引っ掛けてネットにテンションを与えた状態で固定することができる。アンカー下端部等に羽根状の突起を設ければ、ネットに外圧が加わったときでも、アンカーが地中で回転することがないため、アンカーで固定されたネット部分を引っ張って、局所的なテンションを与えたりしない等の利点がある。
【００２２】
以上のように、本願発明には、運搬作業又は立設作業が簡便な支柱ユニットを建設業、農業等の関連産業界に広く提供し、更には、該支柱ユニットを構成部材に利用する獣害防止柵を提供することによって、厳しい地理的条件の山野における柵形成作業を軽減するという技術的意義がある。
【００２３】
【発明の実施の形態】
以下、添付図面に基づいて、本発明に係る支柱ユニット及び獣害防止柵の好適な実施形態について順次説明する。
【００２４】
＜「支柱ユニット」の好適な実施形態について＞
【００２５】
図１は、本発明に係る支柱ユニットＵの部品構成を表す分解図、図２は、支柱ユニットＵを組み立てた状態の下方部分の外観斜視図である。まず、支柱ユニットＵは、図１に示すように、内部中空で四角柱状の支柱１と、該支柱１の下端部１ａが挿入可能な中空部Ｘを備える杭２と、を少なくとも備え、更に、該杭２の上端部２ａの外周囲に装着される羽根状部材３を設けることができる（図１参照）。
【００２６】
支柱ユニットＵは、前記支柱１を前記杭２の中空部Ｘに簡単に挿入できるようにするため、支柱１の外壁と杭２の中空部Ｘの内壁との間に隙間Ｙ（図３参照）ができる程度のサイズ関係に工夫している。このため、支柱１の杭２に対するぐらつきや杭２からの抜けを防止するために、前記隙間Ｙに楔（スペーサ）４を挿着するのが望ましい。
【００２７】
ここで、この支柱ユニットＵを組み立てた状態を外観視すると、支柱１の下端部１ａが杭２の中空部Ｘに収容され、杭２の上端部２ａには、羽根状部材３が装着され、そして、支柱１と杭２の間に形成される隙間Ｙに楔４が４個挿着された形態となる（図２参照）。
【００２８】
更に、組み立てられた状態の支柱ユニットＵの使用状態は、図３に示されている。地面Ｇにさし込まれた状態の杭２を、羽根状部材３がその上端部２ａ（図１参照）において支持固定し、支柱１は、楔４で杭２に固定された状態で、杭２の中空部Ｘに定着している。
【００２９】
以下、支柱ユニットＵの各構成部品の構成について、順次詳説する。
【００３０】
＜支柱１について＞
支柱１は、図１〜図３、該支柱１の水平断面図である図４からも理解できるように、本実施形態で採用されている支柱１は内部中空の四角柱形状をなす。なお、支柱１は、四角柱状に特に限定するものではなく、使用目的に応じて形状を適宜決定でき、例えば円柱状、三角柱状、四角柱状よりも多い多角柱状等を適宜採用できる。長さや外形サイズ等についても用途に応じて適宜決定でき、例えば、後述する獣害防止柵に利用する場合は、一辺５０ｍｍ（例えば、出願人製「コンポーズ　５０角」）、長さ３０００ｍｍ（３ｍ）程度に形成することができる。
【００３１】
ここで、図４を参照して支柱１の材質（材料）構成を説明すると、本発明で採用する支柱１は、ＡＢＳ樹脂等の熱可塑性樹脂からなる内層１０１と、繊維強化硬化性樹脂（ＦＲＰ）からなる中間層１０２と、ＡＢＳ樹脂等の熱可塑性樹脂からなる被覆層１０３と、がそれぞれ相互に密着接合した３層構造を備えるとともに、内部中空部Ｚを有する。
【００３２】
ここで、中空パイプ状の支柱１は、押出機により、まず、ＡＢＳ樹脂を角環状に押し出して、パイプ状の内層１０１を形成し、この内層１０１の外周にガラス繊維ロービングにスチレンを架橋成分として含む不飽和ポリエステル樹脂を含浸して縦添えし、その外周を角環状に絞り成形して、未硬化状態の中間層１０２を形成し、これを被覆層１０３用の押出機のクロスヘッドに挿通する。
【００３３】
被覆層１０３用の押出機においては、ダイからＡＢＳ樹脂を押し出して、中間層１０２の外周を継ぎ目無く被覆し、その被覆層１０３を冷却固化した後、加熱炉に導いて中間層１０２の不飽和ポリエステル樹脂を硬化させる。
【００３４】
ここで、内層１０１及び被覆層１０３に好適に用いられるＡＢＳ樹脂と、中間層１０２に用いたスチレンを架橋成分とする不飽和ポリエステル樹脂とは、未硬化状態において相溶性があるので、この三層は極めて強固に接着接合し、外力に対して三層１０１，１０２，１０３が協働して優れた強力、剛性を発揮する。
【００３５】
中間層１０２に使用する補強用繊維は、ガラス繊維が一般的であるが、炭素繊維、芳香族ポリアミド繊維、ポリエステル繊維、ビニロン繊維など、ＦＲＰに用いられる慣用の他の繊維であってもよい。
【００３６】
また、中間層１０２に使用する熱硬化性樹脂は、不飽和ポリエステル樹脂、エポキシ樹脂などを採用でき、特に、スチレンを架橋成分とする不飽和ポリエステル樹脂が好適である。
【００３７】
内層１０１及び被覆層１０３に使用する熱可塑性樹脂は、中間層１０２において採用される未硬化の樹脂と相溶性を有するものであれば、中間層１０２が硬化した後において、各層１０１〜１０３が相互に接着接合して、強度の高い中空状の支柱１を得ることができる。
【００３８】
なお、熱可塑性樹脂と熱硬化性樹脂の組み合わせ例を挙げると、スチレンを誘導体の成分として含むＰＳ樹脂、ＡＢＳ樹脂、ＡＥＳ樹脂、ＡＳ樹脂、ＡＡＳ樹脂などのスチロール系樹脂と、スチレンを架橋性モノマーとする不飽和ポリエステル樹脂との組み合わせがある。他の例としては、アクリル系の熱可塑性樹脂と、アクリル酸系の架橋性モノマーを含む不飽和ポリエステル樹脂との組み合わせがある。
【００３９】
＜杭２について＞
図１〜図３に加え、更に図５を参照して、杭２の構成について説明する。なお、図５は、杭２の外観斜視図である。
【００４０】
杭２は、鋼管又は上記支柱１同様の３層構造を備える合成樹脂製パイプで形成する。上端部２ａは開口し、下端部２ｂは、地中にさし入れ易いように、四角錐状に尖っている。
【００４１】
杭２は、添付図面に示された四角柱状に特に限定するものではなく、使用目的に応じて形状を適宜決定でき、例えば円柱状、三角柱状、四角柱状よりも多い角数の多角柱状等を適宜採用できる。長さや外形サイズ等についても用途に応じて適宜決定でき、例えば、後述する獣害防止柵に利用する場合は、一辺５０ｍｍ、長さ６５０ｍｍ（６５ｃｍ）程度に形成することができる。
【００４２】
この杭２は、図３に示されているように、地中にさし入れて支柱１を支持する。支柱のぐらつきを防止して、より確実に支持するため、杭２の上端部２ａの外周囲には、羽根状部材３が装着するのがより望ましい（図２、図３参照）。なお、図５に示す符号２１のように、羽根状部材３を上端部２ａに装着するために、ストッパーとして機能する凸部２１を杭２の外周壁所定位置に形成してもよい。
【００４３】
この杭２は、支柱１に比べて長さが短いので、地中にさし入れ易いという利点がある。長さのある支柱１を地面に直接さし入れたり、ハンマー等で打ち込んだりする作業は重労働であり、また、その際には支柱１に損傷を形成する場合がある。しかし、杭２をまず地中にさし込んでおいてから、該杭２に支柱１を挿入する作業は容易であり、支柱１に損傷を与えることもない。
【００４４】
＜羽根状部材３について＞
図６（Ａ）は、羽根状部材３の上方視平面図、図６（Ｂ）は、同羽根状部材３の側方視正面図である。前記支柱ユニットＵを構成する「羽根状部材」は、地面Ｇにさし込み等される前記杭２の上方外周部に装着される金属製又は合成樹脂製の部材である（特に、図２参照）。
【００４５】
羽根状部材３は、杭２の上端部２ａが挿入される角環状をなす基部３１を備え、該基部３１の外壁面から外側に突設された４枚の羽根状の板状部３２が設けられている。本実施形態では、前記板状部３２は、上方視、直交する四方向に突設するように形成されている（図６（Ａ）参照）。
【００４６】
基部３１は、杭２の外形状に合わせて形状を決定する。例えば、本実施形態のように杭２が四角柱状である場合は、四角柱状の角環状とし、杭２が円柱状である場合（図示せず。）は、円柱状の形態とする。
【００４７】
羽根状部材３は、杭２に装着された状態で地面Ｇにさし込まれると、外側に突設する前記板状部（羽根部位）３２，３２，３２，３２が周辺の地中に向けて、手を伸ばす如きに定着するので、杭２のぐらつきや回転を防止する役割を果たし、ひいては該杭２に挿入された支柱１を垂直状態に維持する役割を果たす。特に、板状部３２を上方視、直交する四方向に突設しておくと、前後左右のいずれの方向からの力が加わっても、杭２が動き難くなるので、好適である。
【００４８】
以上のように、羽根状部材３は、その羽根状をなす板状部位３２が、杭２の回転等の動きを阻止するストッパーの機能を発揮するので、杭２、ひいては支柱１の動きを防止する役割を果たす。
【００４９】
＜楔４について＞
図７は、楔４の好適な実施形態の外観斜視図である。楔４は、なお、前記支柱１と杭２との隙間Ｙ（図３参照）に挿着するスペーサであって、支柱１を杭２に確実に固定させるという役割を果たす。支柱１及び杭２が角柱状である場合には、図７で示すような形態の楔４を採用できる。
【００５０】
具体的には、楔４は、全体として略板状の形態を備え、上端部に側方に突出する凸部４１を備え、下端部には斜め下方に切り落としたようなテーパー形状の先端部位４２を備える。凸部４１は、前記隙間Ｙに楔４を打ち込んだり、隙間Ｙから楔４を引き抜いたりする時に利用できる部位となる。テーパー形状の先端部位４２は、前記隙間Ｙに楔４を挿入し易くする役割を果たす。
【００５１】
なお、楔４は、図７に示された形態に限定されることがなく、例えば、支柱１及び杭２が円柱状である場合は、支柱１及び杭２の外形に沿う湾曲形態に形成することができる。楔４は、ポリエチレン等の合成樹脂や金属で形成できる。
【００５２】
以下、添付図面に基づいて、本発明に係る獣害防止柵の好適な実施形態について説明する。図８は、同獣害防止柵の正面図、図９は、同獣害防止柵の側面図である。
【００５３】
本発明に係る獣害防止柵Ｆは、上述した構成を備える支柱ユニットＵを必要な本数だけ間隔を置いて立設し、支柱ユニットＵ間に所望のネット５を張り渡した構成を備える。
【００５４】
立設された支柱Ｕには、必要に応じて、支柱ユニットＵの支柱１の所定高さ位置に対して、符号８で示された支持棒を連結固定する。この支持棒８は、例えば、四角柱状の支柱に取り付けられる締結角環７１と円柱状の支持棒８に取り付けられる締結円環７２とを一連で備える二管ジョイント部材７（図１３参照）を介して支柱１に取り付けることができる。
【００５５】
各支持棒８は、支柱１に斜め下方側に向けて取り付けられ（図９参照）、支柱ユニットＵ、ひいては、獣害防止柵Ｆ全体を、側方から外力によって傾いたり、倒伏したりすることがないようにする役割を果たす。
【００５６】
ここで、図９を参照すると、前記支持棒８は、地面Ｇ側では、地面Ｇにさし込まれた固定棒９の地表露出部位に対して、慣用の二管ジョイント部材１０を介して連結固定されている。
【００５７】
次に、図１０は、獣害防止柵Ｆで用いられる好適なアンカーの実施形態を表している。図１０（Ａ）は、該アンカーの正面図、図１０（Ｂ）は、同アンカーの側面図、図１０（Ｃ）は、同アンカーの背面図である。
【００５８】
図８，図１０において、符号６で示されたアンカーは、立設された支柱ユニットＵ間に張り渡されたネット５の下端部５ａ（図８参照）を該アンカー６の上端フック部６１で引っ掛けて地面Ｇ側に引き寄せるように固定する。これにより、ネット５を張った状態に維持させることができ、また、ネット５下部からの動物の侵入を防止する役割を果たす。
【００５９】
例えば、ＡＢＳ樹脂等で形成できるアンカー６は、好適には、上端に前記フック部６１が形成され、下端部６２は、地面Ｇにさし込み易いように尖塔状に形成されている（図１０参照）。また、前記下端部６２の外周囲に、図１０に示されたような羽根状突起６３を設けることにより、ネット５に外圧が加わった場合でも、アンカー６が地中で回転等して動くことがないため、アンカー６で固定されたネットＮに局所的なテンションを与えたりしない。
【００６０】
また、アンカー６の胴体部位の複数箇所（図１０では４カ所）には、貫通孔６４が形成されている。この貫通孔６４に、アンカー６を地面Ｇ中にさし入れたときに周辺の土が入り込むで、アンカー６が上方側に引き抜かれ難くするという働きをする。
【００６１】
図１１中において符号１２で示された器具は、獣害防止柵Ｆを構成するネット５の左右方向のテンションを調整するためのものであって、ネット５を支持するワイヤ５１（５２）が取り付けられる（図８参照）。
【００６２】
このテンション調整具１２は、細長のベース部１２１の左右端部に設けられたネジ孔（図示せず。）に螺着するネジ１２２，１２２をまわすことによって、前記ネジ１２２，１２２のフック部位１２２ａ，１２２ａに締結等されたワイヤ５１（５２）のテンション強度を調整することができる。
【００６３】
図８、図１２に示す符号１３は、支柱１に設けられるワイヤ固定具の一実施形態を示している。ワイヤ固定具１３は、支柱１の上端部や下端部に取り付けられ、支柱１に締結されるネジ１３１と、このネジ１３１が貫通して支持されるＵ字部材１３２と、を備える。このＵ字部材１３２にワイヤ５１（５２）の端部が挿通されて、締結等される。なお、符号１４は、支柱１の上端開口部を閉塞するために取り付けられた蓋材である。
【００６４】
【発明の効果】
本発明に係る支柱ユニットは、軽量であるので運搬作業が容易であり、また、支柱の立設作業が容易である。また、本発明に係る獣害防止柵は、厳しい地理的条件の山野において、柵形成作業を簡単に行うことができ、支柱が腐食して折損等することがない。
【図面の簡単な説明】
【図１】本発明に係る支柱ユニット（Ｕ）の部品構成を表す分解図
【図２】支柱ユニット（Ｕ）を組み立てた状態の下方部分の外観斜視図
【図３】組み立てられた状態の支柱ユニット（Ｕ）の使用状態を示す図
【図４】支柱ユニット（Ｕ）の水平断面図
【図５】杭（２）の外観斜視図
【図６】（Ａ）羽根状部材（３）の上方視平面図
（Ｂ）同羽根状部材（３）の側方視正面図
【図７】楔（４）の好適な実施形態の外観斜視図
【図８】本発明に係る獣害防止柵（Ｆ）の正面図
【図９】同獣害防止柵（Ｆ）の側面図
【図１０】（Ａ）アンカー（６）の正面図
（Ｂ）同アンカー（６）の側面図
（Ｃ）同アンカー（６）の背面図
【図１１】テンション調整具（１２）を表す図
【図１２】（Ａ）ワイヤ固定具（１３）の上方視平面図
（Ｂ）同固定具（１３）の側面図
（Ｃ）同固定具（１３）の正面図
【図１３】二管ジョイント部材（７）の外観斜視図
【符号の説明】
１　支柱
２　杭
３　羽根状部材
４　楔
５　ネット
５ａ　ネット下端部
６　アンカー
３１　基部
３２　（羽根状の）板状部
６１　（アンカー６の）フック部
１０１　内層
１０２　中間層
１０３　被覆層
Ｆ　獣害防止柵
Ｕ　支柱ユニット
Ｙ　支柱１と杭２との間の隙間
【図１】
2004116117.tif 000003
【図２】
2004116117.tif 000004
【図３】
2004116117.tif 000005
【図４】
2004116117.tif 000006
【図５】
2004116117.tif 000007
【図６】
2004116117.tif 000008
【図７】
2004116117.tif 000009
【図８】
2004116117.tif 000010
【図９】
2004116117.tif 000011
【図１０】
2004116117.tif 000012
【図１１】
2004116117.tif 000013
【図１２】
2004116117.tif 000014
【図１３】
2004116117.tif 000015